(57)【要約】【課題】投資した資金の流れの透明性が確保され、投資家が安心して投資を行うことができる音楽投資システムを提供する。【解決手段】音楽投資システムは、サーバと、アーティスト装置と、投資家装置とを備える。サーバは、投資対象のアーティスト及び投資家の持分を示す持分情報を受信する投資対象情報受信部と、投資家名簿更新部と、楽曲コンテンツの持分移転情報を作成する楽曲コンテンツ受信部と、楽曲コンテンツ配信部と、収益情報受信部と、利益の投資家ごとの配分の量に応じたトークンを発行する利益配分部とを有する。投資家装置は、記録部に記録されている情報を表示する表示制御部を有する。【選択図】図１Ａ
2020144558.tif 000002
【特許請求の範囲】
【請求項１】
サーバと、アーティスト装置と、投資家装置とを備えるコンピュータネットワークシステムにおいて、
前記サーバは、
前記アーティスト装置から、投資家による投資対象となる楽曲に関する情報であって、該投資対象のアーティスト及び該投資家の持分を示す持分情報を含む情報である投資対象情報を受信して記録部に記録する投資対象情報受信部と、
前記投資家装置から、投資対象を特定する情報と前記投資家を特定する情報と投資の量を示す情報とを含む投資量情報を受信して、該受信した投資量情報に基づいて投資家名簿情報を作成して前記記録部に記録する投資家名簿更新部と、
前記アーティスト装置から、前記投資家による投資を資金として制作又は購入された楽曲の音声情報を含む情報である楽曲コンテンツを受信して前記記録部に記録するとともに、該楽曲コンテンツに対応する前記投資対象情報に含まれる前記持分情報と、該楽曲コンテンツが対応する前記投資家名簿情報に含まれる前記投資家それぞれの投資の量と、に基づいて該楽曲コンテンツの持分が該投資家それぞれに移転されたことを示す持分移転情報を作成して該記録部に記録する楽曲コンテンツ受信部と、
前記楽曲コンテンツ受信部が受信した前記楽曲コンテンツを前記投資家装置に配信する楽曲コンテンツ配信部と、
前記楽曲コンテンツ配信部が配信した前記楽曲コンテンツに関する収益の支払元を特定する情報と該収益の額を示す情報とを含む収益情報を受信して記録部に記録する収益情報受信部と、
前記持分移転情報と前記収益情報とに基づいて、前記投資対象ごとの利益の前記投資家ごとの配分の量を決定するとともに、該決定した利益の該投資家ごとの配分の量に応じたトークンを該投資家それぞれに発行し、該発行したトークンの量を示す情報を記録部に記録する利益配分部とを有し、
前記投資家装置は、
前記投資家の操作に応じて、前記記録部に記録されている前記投資家名簿情報、前記持分移転情報、前記収益情報及び前記投資家に発行された前記トークンの量を示す情報のそれぞれを取得して前記投資家装置に表示する表示制御部を有することを特徴とする音楽投資システム。
【請求項２】
請求項１に記載の音楽投資システムにおいて、
前記楽曲コンテンツ受信部は、前記アーティスト装置から前記楽曲コンテンツを受信する際に、該楽曲コンテンツの配信対象となる前記投資家を示す情報である配信対象情報を併せて受信するように構成され、
前記楽曲コンテンツ配信部は、前記楽曲コンテンツを前記投資家装置に配信する際に、該楽曲コンテンツごとの前記配信対象情報に基づいて、配信対象となる前記投資家が使用する投資家装置に該楽曲コンテンツを配信するように構成されていることを特徴とする音楽投資システム。
【請求項３】
請求項１又は２に記載の音楽投資システムにおいて、
前記楽曲コンテンツ受信部は、前記アーティスト装置から前記楽曲コンテンツを受信する際に、前記投資家が該楽曲コンテンツを他の装置に再配信してよいか否かを示す情報である再配信可否情報を併せて受信するように構成され、
前記投資家装置は、前記楽曲コンテンツごとの前記再配信可否情報の内容が、該楽曲コンテンツを他の装置に再配信してよいことを示す内容である場合には、前記投資家の操作に応じて、他の装置に該楽曲コンテンツを再配信する再配信部を有することを特徴とする音楽投資システム。
【請求項４】
請求項１〜３の何れかに記載の音楽投資システムにおいて、
前記音楽投資システムは、収益管理者装置を備え、
前記サーバは、前記投資家により投資された資金の使途に関する情報である資金使途情報を前記収益管理者装置から受信して前記記録部に記録する資金使途情報受信部を有し、
前記投資家装置の前記表示制御部は、前記記録部に記録されている前記資金使途情報を取得して前記投資家装置に表示するように構成されていることを特徴とする音楽投資システム。
【請求項５】
請求項１〜４の何れかに記載の音楽投資システムにおいて、
前記サーバは複数であり、
各サーバは、前記記録部に所定の情報が一定数記録されるごとに該情報に基づいてブロックデータを生成し、該ブロックデータをブロックチェーンに追加して該ブロックチェーンを他のサーバと分散管理するブロックチェーン部を有することを特徴とする音楽投資システム。
【発明の詳細な説明】
【技術分野】
【０００１】
本発明は、音楽投資システムに関する。
【背景技術】
【０００２】
従来、投資システムが知られている（例えば、特許文献１参照）。
【０００３】
特許文献１の投資システムによれば、利用者は、ネットワークを利用してアーティストの楽曲制作等に投資をすることができる。
【先行技術文献】
【特許文献】
【０００４】
【特許文献１】特開２００８−１７１４４７号公報
【発明の概要】
【発明が解決しようとする課題】
【０００５】
投資システムを介して楽曲の制作等に対する投資をしようとする投資家は、アーティスト本人の魅力だけでなく、当該投資システムが信頼できるシステムであるか否かも考慮して当該システムを介した投資の可否を判断する。
【０００６】
そして、投資した資金の流れの透明性が確保されているかどうかは、当該システムが信頼できるシステムであるか否かを投資家に判断させるための重要な要素である。
【０００７】
しかしながら、特許文献１のシステムにおいては、投資した資金の流れの透明性を投資家に示すことについて考慮されておらず、資金の流れが投資家にとって不透明である。
【０００８】
そのため投資家は、当該システムが信頼できるシステムであるか否かを判断できず投資することに不安を覚えるので、たとえアーティストに魅力を感じたとしても投資を躊躇してしまい、その結果として、楽曲の制作等に対する投資を募りたいアーティストは、思うように資金を集めることができないおそれがある。
【０００９】
以上の事情に鑑みて、本発明は、投資した資金の流れの透明性が確保され、投資家が安心して投資を行うことができる音楽投資システムを提供することを目的とする。
【課題を解決するための手段】
【００１０】
本発明の音楽投資システムは、
サーバと、アーティスト装置と、投資家装置とを備えるコンピュータネットワークシステムにおいて、
前記サーバは、
前記アーティスト装置から、投資家による投資対象となる楽曲に関する情報であって、該投資対象のアーティスト及び該投資家の持分を示す持分情報を含む情報である投資対象情報を受信して記録部に記録する投資対象情報受信部と、
前記投資家装置から、投資対象を特定する情報と前記投資家を特定する情報と投資の量を示す情報とを含む投資量情報を受信して、該受信した投資量情報に基づいて投資家名簿情報を作成して前記記録部に記録する投資家名簿更新部と、
前記アーティスト装置から、前記投資家による投資を資金として制作又は購入された楽曲の音声情報を含む情報である楽曲コンテンツを受信して前記記録部に記録するとともに、該楽曲コンテンツに対応する前記投資対象情報に含まれる前記持分情報と、該楽曲コンテンツが対応する前記投資家名簿情報に含まれる前記投資家それぞれの投資の量と、に基づいて該楽曲コンテンツの持分が該投資家それぞれに移転されたことを示す持分移転情報を作成して該記録部に記録する楽曲コンテンツ受信部と、
前記楽曲コンテンツ受信部が受信した前記楽曲コンテンツを前記投資家装置に配信する楽曲コンテンツ配信部と、
前記楽曲コンテンツ配信部が配信した前記楽曲コンテンツに関する収益の支払元を特定する情報と該収益の額を示す情報とを含む収益情報を受信して記録部に記録する収益情報受信部と、
前記持分移転情報と前記収益情報とに基づいて、前記投資対象ごとの利益の前記投資家ごとの配分の量を決定するとともに、該決定した利益の該投資家ごとの配分の量に応じたトークンを該投資家それぞれに発行し、該発行したトークンの量を示す情報を記録部に記録する利益配分部とを有し、
前記投資家装置は、
前記投資家の操作に応じて、前記記録部に記録されている前記投資家名簿情報、前記持分移転情報、前記収益情報及び前記投資家に発行された前記トークンの量を示す情報のそれぞれを取得して前記投資家装置に表示する表示制御部を有することを特徴とする。
【００１１】
本発明においては、投資対象情報受信部により、アーティスト装置から投資家による投資対象となる楽曲に関する情報であって、該投資対象のアーティスト及び該投資家の持分を示す持分情報を含む情報である投資対象情報が受信されて記録部に記録される。なお持分とは、投資対象の利益の配分を受ける権利の量を表す値である。
【００１２】
また、投資家名簿更新部により、投資対象を特定する情報と、前記投資家を特定する情報と、投資の量を示す情報を含む投資家名簿情報が作成されて記録部に記録される。
【００１３】
そして、楽曲コンテンツ受信部により、アーティスト端末から受信された、投資家による投資を資金として制作又は購入された楽曲の音声情報を含む情報である楽曲コンテンツの持分が、持分情報と投資家それぞれの投資の量とに基づいて、投資家それぞれに移転されたことを示す持分移転情報が作成されて記録部に記録される。
【００１４】
さらに、収益情報受信部により、楽曲コンテンツ配信部により配信された楽曲コンテンツに関する収益の支払元を特定する情報と、該収益の額を示す情報とを含む収益情報が受信されて記録部に記録される。
【００１５】
また、利益配分部により、持分移転情報と収益情報とに基づいて、投資対象ごとの利益の投資家ごとの配分の量が決定されて、該決定された利益の該投資家ごとの配分の量に応じたトークンが発行され、該発行されたトークンの量を示す情報が記録部に記録される。
【００１６】
そして、表示制御部により、投資家の操作に応じて、記録部に記録されている投資家名簿情報、持分移転情報、収益情報及び投資家に発行されたトークンの量を示す情報がそれぞれ取得されて投資家装置に表示される。
【００１７】
これにより、投資家は、投資に見合った持分が各投資家に移転され、当該持分に応じた配分を各投資家が受けていることを随時に確認できるため安心して投資をすることができ、結果としてアーティストが多くの資金を集めることができる可能性が高まる。
【００１８】
このように、本発明の音楽投資システムによれば、投資した資金の流れの透明性が確保され、投資家が安心して投資を行うことができる。
【００１９】
本発明の音楽投資システムにおいて、
前記楽曲コンテンツ受信部は、前記アーティスト装置から前記楽曲コンテンツを受信する際に、該楽曲コンテンツの配信対象となる前記投資家を示す情報である配信対象情報を併せて受信するように構成され、
前記楽曲コンテンツ配信部は、前記楽曲コンテンツを前記投資家装置に配信する際に、該楽曲コンテンツごとの前記配信対象情報に基づいて、配信対象となる前記投資家が使用する投資家装置に該楽曲コンテンツを配信するように構成されていることが好ましい。
【００２０】
本発明においては、楽曲コンテンツ受信部により当該楽曲コンテンツ情報が受信される際に、例えばアーティスト自身の操作に基づいて、当該楽曲コンテンツの配信対象となる投資家を示す情報が併せて受信される。
【００２１】
そして、楽曲コンテンツ配信部により、楽曲コンテンツが配信される際に、楽曲コンテンツごとの配信対象情報に基づいて、配信対象となる投資家が使用する投資家装置に該楽曲コンテンツが配信される。
【００２２】
これにより、アーティストは配信する投資家を特定した限定コンテンツとして楽曲コンテンツを配信することができる。そして、限定コンテンツの配信を受けた投資家の、当該アーティストに対する親近感が高められるとともに、投資意欲が増進され、結果としてアーティストは多くの資金を集めることができる可能性がより高まる。
【００２３】
このように、本発明の音楽投資システムによれば、投資した資金の流れの透明性が確保されるとともに、投資家がアーティストをより身近に感じながら安心して投資を行うことができる。
【００２４】
本発明の音楽投資システムにおいて、
前記楽曲コンテンツ受信部は、前記アーティスト装置から前記楽曲コンテンツを受信する際に、前記投資家が該楽曲コンテンツを他の装置に再配信してよいか否かを示す情報である再配信可否情報を併せて受信するように構成され、
前記投資家装置は、前記楽曲コンテンツごとの前記再配信可否情報の内容が、該楽曲コンテンツを他の装置に再配信してよいことを示す内容である場合には、前記投資家の操作に応じて、他の装置に該楽曲コンテンツを再配信する再配信部を有することが好ましい。
【００２５】
本発明においては、楽曲コンテンツ受信部により当該楽曲コンテンツ情報が受信される際に、例えばアーティスト自身の操作に基づいて、投資家が該楽曲コンテンツを他の装置に再配信してよいか否かを示す情報が受信される。
【００２６】
そして再配信可能な楽曲コンテンツについては、投資家の操作に基づいて、再配信部により、当該投資家装置以外の他の装置に該楽曲コンテンツが再配信される。
【００２７】
これにより、投資家自らがアーティストのプロモーション活動に参加することができるため、自身の努力次第で多くの収益が得られることへの期待感が高まるので、投資家の投資意欲が増進され、結果としてアーティストは多くの資金を集めることができる可能性がより高まる。
【００２８】
このように、本発明の音楽投資システムによれば、投資した資金の流れの透明性が確保されるとともに、投資家自身が当該アーティストのプロモーション活動に参加してアーティストをより身近に感じながら安心して投資を行うことができる。
【００２９】
本発明の音楽投資システムにおいて、
前記音楽投資システムは、収益管理者装置を備え、
前記サーバは、前記投資家により投資された資金の使途に関する情報である資金使途情報を前記収益管理者装置から受信して前記記録部に記録する資金使途情報受信部を有し、
前記投資家装置の前記表示制御部は、前記記録部に記録されている前記資金使途情報を取得して前記投資家装置に表示するように構成されていることが好ましい。
【００３０】
本発明においては、収益管理者装置から受信した、投資家により投資された資金の使途に関する情報である資金使途情報が資金使途情報受信部により記録部に記録される。そして、表示制御部により、投資家の操作に応じて記録部に記録されている資金使途情報が取得されて投資家装置に表示される。
【００３１】
これにより、投資家は、自らが投資した資金の使途を随時に確認できるためより安心して投資をすることができ、結果としてアーティストは多くの資金を集めることができる可能性がより高まる。
【００３２】
このように、本発明の音楽投資システムによれば、投資家により投資された資金の使途を含めた資金の流れの透明性が確保され、投資家がより安心して投資を行うことができる。
【００３３】
本発明の音楽投資システムにおいて、
前記サーバは複数であり、
各サーバは、前記記録部に所定の情報が一定数記録されるごとに該情報に基づいてブロックデータを生成し、該ブロックデータをブロックチェーンに追加して該ブロックチェーンを他のサーバと分散管理するブロックチェーン部を有することが好ましい。
【００３４】
本発明においては、サーバは複数であり、ブロックチェーン部により、所定の情報がブロックチェーンとして他のサーバとの間で分散管理される。
【００３５】
これにより、投資家名簿情報、収益情報及び投資家ごとの利益の配分の量を示す情報などの重要な情報が改ざんされていないことの確実性が高まるので、投資家は、より安心して投資をすることができ、結果としてアーティストは多くの資金を集めることができる可能性がより高まる。
【００３６】
このように、本発明の音楽投資システムによれば、投資した資金の流れの透明性が確実に確保され、投資家がより安心して投資を行うことができる。
【図面の簡単な説明】
【００３７】
【図１Ａ】音楽投資システムの全体構成を示すブロック図。
【図１Ｂ】音楽投資システムの構成を示すブロック図。
【図１Ｃ】音楽投資システムの構成を示すブロック図。
【図１Ｄ】音楽投資システムの構成を示すブロック図。
【図１Ｅ】音楽投資システムの構成を示すブロック図。
【図１Ｆ】音楽投資システムの全体構成の一例を示すネットワーク図。
【図２】音楽投資システム全体の処理の概要を示すフローチャート。
【図３Ａ】音楽投資システムの処理の流れを示すフローチャート。
【図３Ｂ】音楽投資システムの処理の流れを示すフローチャート。
【図４Ａ】音楽投資システムのデータ構造を示す図表。
【図４Ｂ】音楽投資システムのデータ構造を示す図表。
【図４Ｃ】音楽投資システムのデータ構造を示す図表。
【図５】音楽投資システムの出力内容を示す図。
【発明を実施するための形態】
【００３８】
＜音楽投資システムの構成＞
まず、図１Ａ〜図１Ｆを参照して、本実施形態の音楽投資システムの構成を説明する。本実施形態の音楽投資システムは、サーバ１０と、アーティスト装置３０と投資家装置５０とを備え、あるいはさらに収益管理者装置７０を備える。
【００３９】
サーバ１０と、アーティスト装置３０、投資家装置５０及び収益管理者装置７０との間が、通信ネットワーク９０により相互に通信可能に接続され、コンピュータネットワークシステムが構成されている。なお、サーバ１０が複数である場合は、各サーバ１０がノードとして機能するブロックチェーンネットワークが構成されて、ブロックチェーンネットワーク内の各サーバ１０がブロックチェーンを分散管理することとしてもよい。
【００４０】
サーバ１０は、サーバ制御部１１０と、サーバ記録部１３０とを備える、例えばコンピュータである。
【００４１】
サーバ制御部１１０は、ＣＰＵ（Ｃｅｎｔｒａｌ  Ｐｒｏｃｅｓｓｉｎｇ  Ｕｎｉｔ）等の演算処理装置、メモリ、及びＩ／Ｏ（Ｉｎｐｕｔ／Ｏｕｔｐｕｔ）デバイスなどにより構成されている。サーバ制御部１１０は、所定のプログラムを読み込んで実行することにより投資対象情報受信部１１１、投資家名簿更新部１１３、楽曲コンテンツ受信部１１５、楽曲コンテンツ配信部１１７、収益情報受信部１１９、利益配分部１２１として機能し、あるいはさらに資金使途情報受信部１２３、ブロックチェーン部１２５として機能する。
【００４２】
投資対象情報受信部１１１は、アーティスト装置３０から、投資家Ｕ２による投資対象となる楽曲に関する情報であって、該投資対象のアーティストＵ１及び該投資家Ｕ２の持分を示す持分情報を含む情報である投資対象情報を受信してサーバ記録部１３０の投資対象ＤＢ（データベース）１３１に記録する。
【００４３】
投資家名簿更新部１１３は、投資家装置５０から、投資対象を特定する情報と投資家Ｕ２を特定する情報と投資の量を示す情報とを含む投資量情報を受信して、該受信した投資量情報に基づいて投資家名簿情報を作成してサーバ記録部１３０の投資家名簿ＤＢ１３３に記録する。
【００４４】
楽曲コンテンツ受信部１１５は、アーティスト装置３０から、投資家Ｕ２による投資を資金として制作又は購入された楽曲の音声情報を含む情報である楽曲コンテンツを受信してサーバ記録部１３０の楽曲コンテンツＤＢ１３５に記録するとともに、該楽曲コンテンツに対応する投資対象情報に含まれる持分情報と、該楽曲コンテンツが対応する投資家名簿情報に含まれる投資家Ｕ２それぞれの投資の量と、に基づいて該楽曲コンテンツの持分が該投資家Ｕ２それぞれに移転されたことを示す持分移転情報を作成してサーバ記録部１３０の持分ＤＢ１３７に記録する。
【００４５】
楽曲コンテンツ配信部１１７は、楽曲コンテンツ受信部１１５が受信した楽曲コンテンツを投資家装置５０などに配信する。
【００４６】
収益情報受信部１１９は、楽曲コンテンツ配信部１１７が配信した楽曲コンテンツに関する収益の支払元を特定する情報と、該収益の額を示す情報を含む収益情報を受信してサーバ記録部１３０の収益ＤＢ１３９に記録する。
【００４７】
利益配分部１２１は、持分移転情報と収益情報とに基づいて、投資対象ごとの利益の投資家Ｕ２ごとの配分の量を決定するとともに、該決定した利益の該投資家Ｕ２ごとの配分の量に応じたトークンを該投資家Ｕ２それぞれに発行し、該発行したトークンの量を示す情報をサーバ記録部１３０のトークンＤＢ１４１に記録する。
【００４８】
資金使途情報受信部１２３は、投資家Ｕ２により投資された資金の使途に関する情報である資金使途情報を収益管理者装置７０から受信してサーバ記録部１３０の資金使途ＤＢ１４３に記録する。
【００４９】
ブロックチェーン部１２５は、サーバ１０が複数である場合に、サーバ記録部１３０に所定の情報が一定数記録されるごとに該情報に基づいてブロックデータを生成し、該ブロックデータをブロックチェーンに追加してサーバ記録部１３０のブロックチェーンＤＢ１４５に記録し、該ブロックチェーンを他のサーバ１０と分散管理する。
【００５０】
サーバ記録部１３０は、例えばＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等の記憶装置により構成されている。サーバ記録部１３０は、投資対象ＤＢ１３１と、投資家名簿ＤＢ１３３と、楽曲コンテンツＤＢ１３５と、持分ＤＢ１３７と、収益ＤＢ１３９と、トークンＤＢ１４１と、資金使途ＤＢ１４３と、ブロックチェーンＤＢ１４５と、サーバ制御部１１０の処理結果を記録する。
【００５１】
投資対象ＤＢ１３１は投資対象情報を格納しており、投資家名簿ＤＢ１３３は投資家名簿を格納しており、楽曲コンテンツＤＢ１３５は楽曲コンテンツを格納しており、持分ＤＢ１３７は持分移転情報を格納しており、収益ＤＢ１３９は収益情報を格納しており、トークンＤＢ１４１は投資家Ｕ２に発行されたトークンの量を示す情報を格納しており、資金使途ＤＢ１４３は資金使途情報を格納しており、ブロックチェーンＤＢ１４５は所定の情報が一定数記録されるごとに該情報に基づいてブロックチェーン部１２５により生成されたブロックデータを格納している。
【００５２】
アーティスト装置３０は、アーティスト装置制御部３１０と、アーティスト装置記録部３３０と、アーティスト装置入力部３５０と、アーティスト装置出力部３７０とを備える、例えばコンピュータ、タブレット端末、スマートフォンである。
【００５３】
アーティスト装置制御部３１０は、ＣＰＵ等の演算処理装置、メモリ、及びＩ／Ｏデバイスなどにより構成されている。アーティスト装置制御部３１０は、所定のプログラムを読み込んで実行することにより投資対象情報送信部３１１、楽曲コンテンツ送信部３１７、アーティスト装置表示制御部３２３として機能する。
【００５４】
投資対象情報送信部３１１は、アーティストＵ１の操作に応じて、投資対象情報をサーバ１０に送信する。楽曲コンテンツ送信部３１７は、アーティストＵ１の操作に応じて、楽曲コンテンツをサーバに送信する。アーティスト装置表示制御部３２３は、アーティストＵ１の操作に応じて、サーバ１０から受信した情報をアーティスト装置出力部３７０に表示する。
【００５５】
アーティスト装置記録部３３０は、例えばＲＯＭ、ＲＡＭ、ＨＤＤ等の記憶装置により構成されており、アーティスト装置制御部３１０の処理結果を記録する。
【００５６】
アーティスト装置入力部３５０は、例えばキーボード、マウスあるいはタッチパネル及びマイクロフォンであり、アーティスト装置出力部３７０は、例えばディスプレイ、スピーカー及びプリンターである。
【００５７】
投資家装置５０は、投資家装置制御部５１０と、投資家装置記録部５３０と、投資家装置入力部５５０と、投資家装置出力部５７０とを備える、例えばコンピュータ、タブレット端末、スマートフォンである。
【００５８】
投資家装置制御部５１０は、ＣＰＵ等の演算処理装置、メモリ、及びＩ／Ｏデバイスなどにより構成されている。投資家装置制御部５１０は、所定のプログラムを読み込んで実行することにより投資量情報送信部５１３、投資家装置表示制御部５２３として機能し、あるいはさらに再配信部５２９として機能する。
【００５９】
投資量情報送信部５１３は、投資家Ｕ２の操作に応じて、投資量情報をサーバ１０に送信する。
【００６０】
投資家装置表示制御部５２３は、投資家Ｕ２の操作に応じて、サーバ記録部１３０に記録されている投資家名簿情報、持分移転情報、収益情報及び前記投資家に発行されたトークンの量を示す情報のそれぞれを取得して投資家装置出力部５７０に表示するほか、サーバ１０から受信した情報を投資家装置出力部５７０に表示する。
【００６１】
再配信部５２９は、楽曲コンテンツごとの再配信可否情報の内容が、該楽曲コンテンツを該投資家装置５０以外の他の装置に再配信してよいことを示す内容である場合には、投資家Ｕ２の操作に応じて、該投資家装置５０以外の他の装置に該楽曲コンテンツを再配信する。
【００６２】
投資家装置記録部５３０は、例えばＲＯＭ、ＲＡＭ、ＨＤＤ等の記憶装置により構成されており、投資家装置制御部５１０の処理結果を記録する。
【００６３】
投資家装置入力部５５０は、例えばキーボード及びマウスあるいはタッチパネルであり、投資家装置出力部５７０は、例えばディスプレイ、スピーカー及びプリンターである。
【００６４】
収益管理者装置７０は、収益管理者装置制御部７１０、収益管理者装置記録部７３０と、収益管理者装置入力部７５０と、収益管理者装置出力部７７０とを備える、例えばコンピュータ、タブレット端末、スマートフォンである。
【００６５】
なお、収益管理者Ｕ３としては、例えば各アーティストＵ１が所属する事務所の経理担当者、著作権管理団体の担当者、あるいはアーティストＵ１本人が想定される。また、アーティストＵ１本人が収益管理者Ｕ３である場合は、アーティスト装置３０と収益管理者装置７０とが、同一のコンピュータ、タブレット端末、スマートフォンであっても構わない。
【００６６】
収益管理者装置制御部７１０は、ＣＰＵ等の演算処理装置、メモリ、及びＩ／Ｏデバイスなどにより構成されている。収益管理者装置制御部７１０は、所定のプログラムを読み込んで実行することにより収益情報送信部７２１、資金使途情報送信部７２５として機能する。
【００６７】
収益情報送信部７２１は、収益管理者Ｕ３の操作に応じて、収益情報をサーバ１０に送信する。資金使途情報送信部７２５は、収益管理者Ｕ３の操作に応じて、資金使途情報をサーバ１０に送信する。
【００６８】
収益管理者装置記録部７３０は、例えばＲＯＭ、ＲＡＭ、ＨＤＤ等の記憶装置により構成されており、収益管理者装置制御部７１０の処理結果を記録する。
【００６９】
収益管理者装置入力部７５０は、例えばキーボード及びマウスあるいはタッチパネルであり、収益管理者装置出力部７７０は、例えばディスプレイ及びプリンターである。
【００７０】
通信ネットワーク９０は、例えばＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）又はインターネット通信網である。
【００７１】
＜音楽投資システムの処理概要＞
図２を参照して、本実施形態の音楽投資システム全体の処理の概要を説明する。
【００７２】
本実施形態の音楽投資システムによる一連の処理は、アーティスト装置３０による投資対象情報送信処理（図２／Ｓ１１０）により開始される。
【００７３】
投資対象情報送信処理（図２／Ｓ１１０）では、アーティスト装置３０から投資対象情報がサーバ１０に送信される。そして、サーバ１０において、アーティスト装置３０から送信された投資対象情報を受信してサーバ記録部１３０記録する投資対象情報受信処理（図２／Ｓ１３０）が実行される。
【００７４】
その後、投資家装置５０において、投資量情報をサーバ１０に送信する投資量情報送信処理（図２／Ｓ２１０）が実行されて、サーバ１０において、投資家装置５０から受信した該投資量情報に基づいて、投資家名簿情報を作成してサーバ記録部１３０に記録する投資家名簿更新処理（図２／Ｓ２３０）が実行される。
【００７５】
そして必要に応じて、収益管理者装置７０において、資金使途情報をサーバ１０に送信する資金使途情報送信処理（図２／Ｓ３１０）が実行されて、サーバ１０において、収益管理者装置７０から資金使途情報を受信してサーバ記録部１３０に記録する資金使途情報受信処理（図２／Ｓ３３０）が実行される。
【００７６】
その後、アーティスト装置３０において、投資家Ｕ２による投資を資金として制作又は購入された楽曲コンテンツをサーバ１０に送信する楽曲コンテンツ送信処理（図２／Ｓ４１０）が実行されて、サーバ１０において、アーティスト装置３０から受信した楽曲コンテンツをサーバ記録部１３０に記録するとともに、該楽曲コンテンツに対応する投資対象情報に含まれる持分情報と、該楽曲コンテンツが対応する投資家名簿情報に含まれる投資家それぞれの投資の量とに基づいて該楽曲コンテンツの持分が該投資家Ｕ２それぞれに移転されたことを示す持分移転情報を作成してサーバ記録部１３０に記録する楽曲コンテンツ受信処理（図２／Ｓ４３０）が実行される。
【００７７】
その後、サーバ１０において、投資家装置５０などからの求めに応じて楽曲コンテンツを配信する楽曲コンテンツ配信処理（図２／Ｓ５１０）が実行され、投資家装置５０において、投資家Ｕ２の操作に応じて、サーバ１０から配信された楽曲コンテンツを再生する楽曲コンテンツ再生処理（図２／Ｓ５３０）が実行される。また、必要に応じて、投資家装置５０において、投資家Ｕ２の操作に応じて、サーバ１０から配信された楽曲コンテンツを投資家装置５０以外の他の装置に再配信する再配信処理（図２／Ｓ５５０）が実行される。
【００７８】
その後、収益管理者装置７０において、楽曲コンテンツ配信部１１７が配信した楽曲コンテンツに関する収益の支払元を特定する情報と、該収益の額を示す情報を含む収益情報を送信する収益情報送信処理（図２／Ｓ６１０）が実行され、サーバ１０において、収益情報を受信してサーバ記録部１３０に記録する収益情報受信処理（図２／５３０）が実行される。
【００７９】
その後、持分移転情報と収益情報とに基づいて、投資対象ごとの利益の投資家Ｕ２ごとの配分の量を決定するとともに、該決定した利益の該投資家Ｕ２ごとの配分の量に応じたトークンを該投資家Ｕ２それぞれに発行し、該発行したトークンの量を示す情報をサーバ記録部１３０に記録する利益配分処理（図２／Ｓ６１０）が実行される。
【００８０】
その後、投資家装置５０において、投資家Ｕ２の操作に応じて、サーバ記録部１３０に記録されている投資家名簿情報、持分移転情報、収益情報及び投資家に発行されたトークンの量を示す情報、あるいはさらに資金使途情報のそれぞれを取得して投資家装置５０に表示する表示制御処理（図２／Ｓ７３０）を実行して音楽投資システム全体の処理を終了する。
【００８１】
なお、説明の簡便化のため、図２においては記載を省略したが、投資家名簿更新処理（図２／Ｓ２３０）が実行され、投資家名簿情報が作成された後は、投資家装置５０は、投資家Ｕ２の操作に応じて随時にサーバ記録部１３０に記録されている投資家名簿情報を取得して表示することが可能である。同様に、持分移転情報、収益情報及び資金使途情報のそれぞれを記録する処理が実行された後は、投資家装置５０は、投資家Ｕ２の操作に応じて随時にサーバ記録部１３０に記録されているこれらの情報それぞれを取得して表示することが可能である。
【００８２】
これら一連の処理が、アーティストＵ１、投資家Ｕ２、収益管理者Ｕ３の操作に応じて随時に繰り返し実行される。
【００８３】
また、サーバ１０は、サーバ１０が複数である場合は、サーバ記録部１３０に所定の情報が一定数記録されるごとに該情報に基づいてブロックデータを生成し、該ブロックデータをブロックチェーンに追加して該ブロックチェーンを他のサーバ１０と分散管理するブロックチェーン処理を実行する。
【００８４】
所定の情報とは、例えば投資対象情報、投資家名簿情報、持分移転情報、収益情報、投資家に発行されたトークンの量を示す情報、資金使途情報である。
【００８５】
次に、図３Ａ〜図５を参照しながら、各処理の内容について説明する。
【００８６】
＜投資対象情報送信処理＞
投資対象情報送信処理は、例えばアーティストＵ１がアーティスト装置３０において投資対象情報送信処理を開始する操作をすることにより開始される。
【００８７】
投資対象情報送信処理を開始すると、アーティスト装置３０の投資対象情報送信部３１１は、投資対象に関する情報の入力を受け付ける画面を、アーティスト装置出力部３７０としてのディスプレイに表示する。
【００８８】
そして投資対象情報送信部３１１は、投資対象に関する情報として、例えばアーティストを特定する情報としてのアーティストＩＤ、制作又は購入予定の楽曲のタイトル、収益の見込み額、投資の募集期間、楽曲の予定配信日、プロモーション映像、そして投資対象のアーティスト及び該投資家の持分を示す持分情報の入力を受け付ける。
【００８９】
そして投資対象情報送信部３１１は、例えばアーティストＵ１による送信ボタンの押下操作がなされたことを認識すると、当該入力を受け付けた投資対象情報に関する情報をサーバ１０に送信して処理を終了する。
【００９０】
＜投資対象情報受信処理＞
投資対象情報受信処理は、サーバ１０の投資対象情報受信部１１１が、アーティスト装置３０から投資対象情報を受信することにより開始される。
【００９１】
投資対象情報受信処理を開始すると、投資対象情報受信部１１１は当該受信した投資対象情報に投資対象情報を特定する投資対象ＩＤを付与してサーバ記録部１３０の投資対象ＤＢ１３１に記録して処理を終了する。
【００９２】
＜投資量情報送信処理＞
投資量情報送信処理は、例えば投資家Ｕ２が投資家装置５０において投資量情報送信処理を開始する操作をすることにより開始される。
【００９３】
投資量情報送信処理を開始すると、投資家装置５０の投資量情報送信部５１３は、サーバ１０に接続し、サーバ記録部１３０に記録されている投資対象ＤＢ１３１から、現在投資を受け付けている投資対象に関する投資対象情報を取得し、投資家装置出力部５７０であるディスプレイに当該取得した投資対象情報を一覧表示する。
【００９４】
そして投資量情報送信部５１３は、例えば投資家Ｕ２による当該一覧から１つの投資対象情報を選択する操作がなされたことを認識すると、当該選択された投資対象情報に対する投資の量を示す情報の入力を受け付ける画面をディスプレイに表示する。
【００９５】
投資量情報送信部５１３は、投資の量を示す情報として、例えば現金の金額又は音楽投資システムから投資家Ｕ２が過去に発行を受けたトークンのうち今回の投資に使用するトークンの量の入力を受け付ける。また投資量情報送信部５１３は、投資の量を示す情報として現金の金額の入力を受け付けた場合は、さらにクレジットカード番号、銀行口座番号などの、当該現金の決済に必要な情報の入力を併せて受け付ける。
【００９６】
そして投資対象情報送信部３１１は、例えば投資家Ｕ２による送信ボタンの押下操作がなされたことを認識すると、当該入力を受け付けた投資の量を示す情報と投資対象ＩＤと投資家Ｕ２を特定する情報としての投資家ＩＤとを含む投資量情報をサーバ１０に送信して処理を終了する。
【００９７】
＜投資家名簿更新処理＞
投資家名簿更新処理は、サーバ１０の投資家名簿更新部１１３が投資家装置５０から投資量情報を受信することにより開始される。
【００９８】
投資家名簿更新処理を開始すると、投資家名簿更新部１１３は、投資家装置５０から受信した投資量情報に基づいて、投資対象ＩＤと投資家ＩＤと投資の量を示す情報とを含む投資家名簿情報を作成し、サーバ記録部１３０の投資家名簿ＤＢ１３３に記録して処理を終了する。
【００９９】
なお投資家名簿更新部１１３は、投資家名簿情報を記録すると同時に、当該投資対象に関する楽曲コンテンツの再生及び該楽曲コンテンツの再配信を行う操作をすることができる画面（ページ）を表示できる権限を、投資を行った投資家Ｕ２に付与する。
【０１００】
＜資金使途情報送信処理＞
資金使途情報送信処理は、例えば収益管理者Ｕ３が収益管理者装置７０において資金使途情報送信処理を開始する操作をすることにより開始される。
【０１０１】
資金使途情報送信処理を開始すると、収益管理者装置７０の資金使途情報送信部７２５は、サーバ１０に接続し、サーバ記録部１３０に記録されている投資対象ＤＢ１３１から、投資対象情報を取得し、収益管理者装置出力部７７０であるディスプレイに当該取得した投資対象情報を一覧表示する。
【０１０２】
そして資金使途情報送信部７２５は、例えば収支管理者Ｕ３による当該一覧から１つの投資対象情報を選択する操作がなされたことを認識すると、当該選択された投資対象情報に対する資金の使途を示す情報である資金使途情報の入力を受け付ける画面をディスプレイに表示する。
【０１０３】
資金使途情報送信部７２５は、資金使途情報として、例えば資金の使途を説明する文章（例えば「原版制作費の一部」、「宣伝・販売促進費用」など。）と資金の使途ごとの支払金額などの情報の入力を受け付ける。
【０１０４】
そして資金使途情報送信部７２５は、例えば収支管理者Ｕ３による送信ボタンの押下操作がなされたことを認識すると、当該入力を受け付けた資金使途情報と投資対象ＩＤと収支管理者を特定する情報としての収支管理者ＩＤを含む情報をサーバ１０に送信して処理を終了する。
【０１０５】
＜資金使途情報受信処理＞
資金使途情報受信処理は、サーバ１０の資金使途情報受信部１２３が、収益管理者装置７０から資金使途情報を受信することにより開始される。資金使途情報受信処理を開始すると、資金使途情報受信部１２３は当該受信した資金使途情報をサーバ記録部１３０の資金使途ＤＢ１４３に記録して処理を終了する。
【０１０６】
これにより、投資家は、自らが投資した資金の使途を随時に確認できるためより安心して投資をすることができ、結果としてアーティストは多くの資金を集めることができる可能性がより高まる。
【０１０７】
＜楽曲コンテンツ送信処理＞
楽曲コンテンツ送信処理は、例えばアーティストＵ１がアーティスト装置３０において楽曲コンテンツ送信処理を開始する操作をすることにより開始される。
【０１０８】
楽曲コンテンツ送信処理を開始すると、アーティスト装置３０の楽曲コンテンツ送信部３１７は、サーバ記録部１３０に記録されている投資対象ＤＢ１３１から、当該アーティストの投資対象情報を取得し、アーティスト装置３０のディスプレイに当該取得した投資対象情報を一覧表示する。
【０１０９】
そして楽曲コンテンツ送信部３１７は、例えばアーティストＵ１による当該一覧から１つの投資対象情報を選択する操作がなされたことを認識すると、当該選択された投資対象情報に対する楽曲コンテンツの入力を受け付ける画面をディスプレイに表示する。
【０１１０】
楽曲コンテンツ送信部３１７は、楽曲コンテンツとして、音声データ、音声付きの画像データの入力を受け付ける。なお、楽曲コンテンツには、投資家による投資を資金として制作された楽曲の完成品又は購入された楽曲の全体だけでなく、投資家へのお礼のメッセージ、お礼の動画、オンラインライブ動画などが含まれる。
【０１１１】
あるいはさらに楽曲コンテンツ送信部３１７は、該楽曲コンテンツの配信対象となる投資家Ｕ２を示す情報である配信対象情報又は投資家Ｕ２が該楽曲コンテンツを他の装置に再配信してよいか否かを示す情報である再配信可否情報の入力を併せて受け付ける。
【０１１２】
そして楽曲コンテンツ送信部３１７は、例えばアーティストＵ１による送信ボタンの押下操作がなされたことを認識すると、当該入力を受け付けた楽曲コンテンツと、投資対象ＩＤと、必要に応じて配信対象情報及び再配信可否情報のいずれか一方又は両方と、を含む情報をサーバ１０に送信して処理を終了する。
【０１１３】
＜楽曲コンテンツ受信処理＞
楽曲コンテンツ受信処理は、サーバ１０がアーティスト装置３０から楽曲コンテンツを受信することにより開始される。
【０１１４】
楽曲コンテンツ受信部１１５は、アーティスト装置３０から受信した楽曲コンテンツを投資家装置５０へ随時に配信可能な状態でサーバ記録部１３０の楽曲コンテンツＤＢ１３５に記録するとともに、該楽曲コンテンツに対応する投資対象情報に含まれる持分情報と、該楽曲コンテンツが対応する投資家名簿情報に含まれる投資家Ｕ２それぞれの投資の量とに基づいて該楽曲コンテンツの持分が該投資家Ｕ２それぞれに移転されたことを示す持分移転情報を作成してサーバ記録部１３０に記録して処理を終了する。
【０１１５】
より具体的には、まず楽曲コンテンツ受信部１１５は、アーティスト装置３０から受信した楽曲コンテンツを投資家装置５０へ随時に配信可能な状態でサーバ記録部１３０の楽曲コンテンツＤＢに記録する（図３Ａ／Ｓ４３１）。
【０１１６】
そして、楽曲コンテンツ受信部１１５は、アーティスト装置３０から楽曲コンテンツとともに受信した情報に含まれる投資対象ＩＤを含む投資対象情報を、楽曲コンテンツに対応する投資対象情報として投資対象ＤＢ１３１から抽出する（図３Ａ／Ｓ４３３）。
【０１１７】
すなわち例えば、アーティスト装置３０から楽曲コンテンツとともに受信した情報に含まれる投資対象ＩＤが「ＩＯ−０００１」であり、投資対象ＤＢ１３１に記録されている投資対象情報の内容が図４Ａの通りである実施例について説明すると、楽曲コンテンツ受信部１１５は、投資対象ＩＤが「ＩＯ−０００１」である投資対象情報を、楽曲コンテンツに対応する投資対象情報として投資対象ＤＢ１３１から抽出する。
【０１１８】
次に楽曲コンテンツ受信部１１５は、該抽出された投資対象情報に含まれる持分情報を取得して、該持分情報に基づいて、該投資対象の投資家Ｕ２の持分を取得する（図３Ａ／Ｓ４３５）。
【０１１９】
本実施例においては、抽出された投資対象情報に含まれる持分情報は「持分：アーティスト４０％、投資家６０％（最大）。投資家には１円あたり０．００００１％を移転。」であるので、楽曲コンテンツ受信部１１５は、該投資対象の投資家Ｕ２の持分として「１円あたり０．００００１％が移転され、最大で６０％までが投資家に移転される」という情報を取得する。
【０１２０】
続いて楽曲コンテンツ受信部１１５は、アーティスト装置３０から楽曲コンテンツとともに受信した情報に含まれる投資対象ＩＤを含む投資家名簿情報を、投資家名簿ＤＢ１３３から抽出する（図３Ａ／Ｓ４３７）。
【０１２１】
すなわち例えば、アーティスト装置３０から楽曲コンテンツとともに受信した情報に含まれる投資対象ＩＤが「ＩＯ−０００１」であり、投資家名簿ＤＢ１３３に記録されている投資家名簿情報の内容が図４Ｂの通りである実施例について説明すると、楽曲コンテンツ受信部１１５は、投資対象ＩＤが「ＩＯ−０００１」である投資家名簿情報は、投資家名簿情報ＩＤが「ＩＩ−０００００１」と「ＩＩ−０００００２」の投資家名簿情報であるので、これらの投資家名簿情報を、楽曲コンテンツに対応する投資家名簿情報として投資対象ＤＢ１３１から抽出する。
【０１２２】
そして楽曲コンテンツ受信部１１５は、該抽出された投資家名簿情報に含まれる投資家Ｕ２それぞれの投資の量を示す情報を取得する（図３Ａ／Ｓ４３９）。
【０１２３】
本実施例において楽曲コンテンツ受信部１１５は、投資家ＩＤが「ＩＮ−００００１」の投資家Ｕ２の投資の量として「１００万円」を、投資家ＩＤが「ＩＮ−００００２」の投資家Ｕ２の投資の量として「３００万円」をそれぞれ取得する。
【０１２４】
なお、投資がトークンにより行われた場合は、あらかじめサーバ記録部１３０に記録されている、現金の額とトークンの量とのレート情報（例えば、１トークン＝１円。）を参照して、投資家Ｕ２の投資の量としてのトークンの量を、現金の額に換算して、当該換算後の値を当該投資家Ｕ２の投資の量として取得する。
【０１２５】
次に楽曲コンテンツ受信部１１５は、取得された該投資対象の投資家の持分及び投資家それぞれの投資の量を示す情報に基づいて、楽曲コンテンツの持分のうち、投資家それぞれに移転すべき持分の量を算出する（図３Ａ／Ｓ４４１）。
【０１２６】
本実施例において楽曲コンテンツ受信部１１５は、投資家ＩＤが「ＩＮ−００００１」の投資家Ｕ２に移転すべき持分の量として「１００万円」に対応する「１０％」を、投資家ＩＤが「ＩＮ−００００２」の投資家Ｕ２に移転すべき持分の量として「３００万円」に対応する「３０％」を、それぞれ算出する。
【０１２７】
そして楽曲コンテンツ受信部１１５は、該算出された投資家Ｕ２それぞれに移転すべき持分の量に基づいて、該楽曲コンテンツの持分が投資家Ｕ２それぞれに移転されたことを示す持分移転情報を作成してサーバ記録部１３０の持分ＤＢ１３７に記録して（図３Ａ／Ｓ４４３）、処理を終了する。
【０１２８】
本実施例において楽曲コンテンツ受信部１１５は、例えば図４Ｃのような内容の持分移転情報を作成する。図４Ｃ中、上段左のデータイメージＴｒａｎ１は投資家ＩＤが「ＩＮ−００００１」の投資家Ｕ２への、上段右のデータイメージＴｒａｎ２は投資家ＩＤが「ＩＮ−００００２」の投資家Ｕ２への持分移転情報である。そして、下段のデータイメージＴａｂは、これら２件の持分移転情報が反映された、持分ＤＢの内容を示している。
【０１２９】
なお、本実施例においては楽曲コンテンツ受信処理中での持分移転情報の作成について説明したが、これに限定されない。楽曲コンテンツ受信処理の実行後に、投資家名簿更新部１１３が投資家装置５０から投資量情報を受信して、投資家名簿更新処理を実行した際にも同様に、該受信した投資量情報に含まれる投資の量を示す情報に基づいて、該投資量情報を送信した投資家Ｕ２に対して、持分が移転されたことを示す持分移転情報が、楽曲コンテンツ受信部１１５により作成される。
【０１３０】
また、楽曲コンテンツ受信部１１５は、楽曲コンテンツと併せて配信対象情報を受信した場合は、当該配信対象情報に基づいて、該楽曲コンテンツの配信対象となる投資家Ｕ２の投資家装置５０へ配信可能な状態で該楽曲コンテンツを記録する。
【０１３１】
さらに、楽曲コンテンツ受信部１１５は、楽曲コンテンツと併せて再配信可否情報を受信した場合は、当該再配信可否情報に基づいて、該楽曲コンテンツを投資家装置５０以外のその他の装置に再配信可能な（又は再配信不可能な）状態で該楽曲コンテンツを記録する。
【０１３２】
＜楽曲コンテンツ再生処理＞
楽曲コンテンツ再生処理は、例えば投資家装置５０において楽曲コンテンツ再生を行う操作をすることができる画面（ページ）を表示することにより開始される。
【０１３３】
楽曲コンテンツ再生処理を開始すると、投資家装置５０の楽曲コンテンツ再生部５１９は、サーバ１０に接続し、サーバ記録部１３０に記録されている投資対象ＤＢと楽曲コンテンツＤＢ１３５から、該投資家装置５０に配信可能な状態で記録されている楽曲コンテンツに関する投資対象情報を取得し、投資家装置のディスプレイに当該取得した投資対象情報を一覧表示する。
【０１３４】
そして楽曲コンテンツ再生部５１９は、例えば投資家Ｕ２による当該一覧から１つの投資対象情報を選択する操作がなされたことを認識すると、当該選択された投資対象情報に関する楽曲コンテンツの配信を要求する情報をサーバ１０に送信し、サーバ１０から楽曲コンテンツの配信を受け付けて、当該配信された楽曲コンテンツの再生を開始する。
【０１３５】
なお、１つの投資対象情報に関する楽曲コンテンツが複数ある場合は、楽曲コンテンツ再生部５１９は、再生させる楽曲コンテンツを選択する情報をさらに受け付けて、当該選択された楽曲コンテンツを再生する。
【０１３６】
その後、当該楽曲コンテンツが最後まで再生されるか、投資家Ｕ２による再生を終了する操作を認識することにより、楽曲コンテンツ再生部５１９は処理を終了する。
【０１３７】
＜楽曲コンテンツ配信処理＞
楽曲コンテンツ配信処理は、例えば投資家装置５０から、楽曲コンテンツの配信を要求する情報を受信することにより開始される。
【０１３８】
楽曲コンテンツ配信処理を開始すると、楽曲コンテンツ配信部１１７は、投資家装置５０から配信を要求された楽曲コンテンツをサーバ記録部１３０の楽曲コンテンツＤＢから取得して、当該取得された楽曲コンテンツについて、当該楽曲コンテンツの配信を要求した投資家装置５０への配信を開始する。
【０１３９】
なおこのとき楽曲コンテンツ配信部１１７は、楽曲コンテンツ受信処理において楽曲コンテンツと併せて配信対象情報が受信された楽曲コンテンツについては、当該配信対象情報に基づいて、楽曲コンテンツの配信を要求した投資家装置５０が、該楽曲コンテンツの配信対象となっている投資家Ｕ２の投資家装置５０に該当する場合に、当該投資家装置５０への当該楽曲コンテンツの配信を行う。
【０１４０】
これにより、アーティストは配信する投資家を特定した限定コンテンツとして楽曲コンテンツを配信することができる。そして、限定コンテンツの配信を受けた投資家の、当該アーティストに対する親近感が高められるとともに、投資意欲が増進され、結果としてアーティストは多くの資金を集めることができる可能性がより高まる。
【０１４１】
そして、楽曲コンテンツ配信部１１７は、配信先の投資家装置５０において、楽曲コンテンツ再生処理が終了した際に処理を終了する。
【０１４２】
なお、楽曲コンテンツが投資家装置５０以外の他の装置に再配信可能な状態でサーバ記録部１３０に記録されている場合には、楽曲コンテンツ配信部１１７は、当該他の装置から楽曲コンテンツの配信を要求する情報を受信することによって、当該他の装置への楽曲コンテンツ配信処理を開始する。
【０１４３】
＜再配信処理＞
再配信処理は、投資家装置５０において例えば楽曲コンテンツ再生処理中に再配信を行う操作が行われたことを再配信部５２９が認識することにより開始される。
【０１４４】
再配信処理を開始すると、投資家装置５０の再配信部５２９は、再配信先として選択可能な他の装置を一覧表示する。
【０１４５】
再配信部５２９は、再配信先として選択可能な他の装置の一覧を、たとえば投資家装置記録部５３０にあらかじめ記録されている一覧情報から取得して表示する。
【０１４６】
なお、１つの投資対象情報に関する再配信可能な楽曲コンテンツが複数ある場合は、再配信部５２９は、再配信する楽曲コンテンツを選択する情報をさらに受け付けて、当該選択された楽曲コンテンツを再配信する。
【０１４７】
そして再配信部５２９は、投資家Ｕ２の操作に基づいて、選択可能な他の装置の一覧から選択された、投資家装置５０からアクセス可能な例えばＳＮＳ、音楽配信サービスなどに対して再配信対象の楽曲コンテンツのデータ自体もしくは当該楽曲コンテンツにアクセスさせるためのＵＲＬなどの情報を送信することにより、当該楽曲コンテンツを再配信して処理を終了する。
【０１４８】
これにより、投資家自らがアーティストのプロモーション活動に参加することができるため、自身の努力次第で多くの収益が得られることへの期待感が高まるので、投資家の投資意欲が増進され、結果としてアーティストは多くの資金を集めることができる可能性がより高まる。
【０１４９】
＜収益情報送信処理＞
収益情報送信処理は、例えば収益管理者Ｕ３が収益管理者装置７０において収益情報送信処理を開始する操作をすることにより開始される。
【０１５０】
収益情報送信処理を開始すると、収益管理者装置７０の収益情報送信部７２１は、サーバ１０に接続し、サーバ記録部１３０に記録されている投資対象ＤＢ１３１から、投資対象情報を取得し、収益管理者装置７０のディスプレイに当該取得した投資対象情報を一覧表示する。
【０１５１】
そして収益情報送信部７２１は、例えば収支管理者Ｕ３による当該一覧から１つの投資対象情報を選択する操作がなされたことを認識すると、当該選択された投資対象情報に関する楽曲コンテンツに関する収益情報の入力を受け付ける画面をディスプレイに表示する。
【０１５２】
収益情報送信部７２１は、収益情報として、例えば収益の支払元を特定する情報（例えば法人名および所在地、あるいは支払元ＩＤなど。）と、該収益の額を示す情報と、収益の元となった活動の内容を説明する文章（「楽曲コンテンツ配信売り上げ」、「音楽視聴サイト〇〇利用料」など。）の入力を受け付ける。
【０１５３】
そして収益情報送信部７２１は、例えば収支管理者Ｕ３による送信ボタンの押下操作がなされたことを認識すると、当該入力を受け付けた収益情報と投資対象ＩＤとを含む情報をサーバ１０に送信して処理を終了する。
【０１５４】
＜収益情報受信処理＞
収益情報受信処理は、サーバ１０の収益情報受信部１１９が収益管理者装置７０から収益情報と投資対象ＩＤとを受信することにより開始される。収益情報受信処理を開始すると収益情報受信部１１９は、当該受信した投資対象ＩＤと、収益情報とをサーバ記録部１３０の収益ＤＢ１３９に記録して処理を終了する。
【０１５５】
＜利益配分処理＞
利益配分処理は、サーバ１０において、例えば所定のタイミング（１回／月など。）で、あるいは収益管理者Ｕ３による操作に応じて随時に、開始される。
【０１５６】
利益配分処理を開始すると、利益配分部１２１は、持分移転情報と収益情報とに基づいて、投資対象ごとの利益の投資家Ｕ２ごとの配分の量を決定するとともに、該決定した利益の該投資家Ｕ２ごとの配分の量に応じたトークンを該投資家Ｕ２それぞれに発行し、該発行したトークンの量を示す情報をサーバ記録部１３０のトークンＤＢ１４１に記録して処理を終了する。
【０１５７】
より具体的には、まず利益配分部１２１は、処理の対象となる投資対象情報の投資対象ＩＤを取得する（図３Ｂ／Ｓ７１１）。
【０１５８】
次に利益配分部１２１は、処理対象の投資対象ＩＤに関する収益情報を収益ＤＢから抽出して（図３Ｂ／Ｓ７１３）処理対象の投資対象ＩＤに関する資金使途情報を資金使途ＤＢから抽出し（図３Ｂ／Ｓ７１５）、抽出した収益情報に含まれる収益の額の合計値から、抽出した資金使途情報に含まれる支払金額の合計値を引いた値を処理対象の投資対象情報の利益の額として算出する（図３Ｂ／Ｓ７１７）。
【０１５９】
なお、収益情報受信処理において、例えばあらかじめ必要経費を差し引かれた収益の額を受信して収益ＤＢ１３９に記録している場合は、Ｓ７１５の処理は省略され、Ｓ７１７において利益配分部１２１は、抽出した収益情報に含まれる収益の額の合計値を処理対象の投資対象情報の利益の額として算出する。
【０１６０】
そして利益配分部１２１は、処理対象の投資対象ＩＤに関する、持分移転情報を持分ＤＢから抽出する（図３Ｂ／Ｓ７１９）。
【０１６１】
利益配分部１２１は、Ｓ７１７において算出された利益の額について、抽出された持分移転情報に含まれる投資家Ｕ２ごとの持分に応じて配分の量を決定し（図３Ｂ／Ｓ７２１）、利益の該投資家Ｕ２ごとの配分の量に応じたトークンを該投資家Ｕ２それぞれに発行して発行したトークンの量を示す情報をサーバ記録部に記録して（図３Ｂ／Ｓ７２３）処理を終了する。
【０１６２】
すなわち例えば、算出された利益の額が１００万円であって、ある投資家Ｕ２の持分が１０％で、他の投資家Ｕ２の持分が３０％であれば、利益配分部１２１は、ある投資家Ｕ２の利益の配分の量は１０万円で、他の投資家Ｕ２の利益の配分の量は３０万円であると決定する。そして、利益配分部１２１は、例えば利益の配分の金額とトークンの量とのレートが「１円＝１トークン」であれば、ある投資家Ｕ２には１０万トークンを、他の投資家Ｕ２には３０万トークンを発行する。
【０１６３】
あるいはさらに利益配分部１２１は、Ｓ７１７において算出された利益の額について、抽出された持分移転情報に含まれるアーティストの持分に応じて配分の量を決定して、当該配分の量に応じたトークンを発行し又は現金を支払うように構成されていてもよい。
【０１６４】
＜表示制御処理＞
表示制御処理は、投資家Ｕ２が投資家装置５０において、表示制御処理を開始する操作をすることにより開始される。
【０１６５】
表示制御処理を開始すると、投資家装置表示制御部５２３は、投資家Ｕ２が表示を希望する情報の指定を受け付ける画面を投資家装置５０のディスプレイに表示する。投資家装置表示制御部５２３は、表示を希望する情報として例えば投資家名簿情報、持分移転情報、収益情報又は投資家に発行されたトークンの量を示す情報の指定を受け付ける。
【０１６６】
投資家Ｕ２が表示を希望する情報の指定する操作がなされたことを認識すると、投資家装置表示制御部５２３は、サーバ記録部１３０に記録されているＤＢのうち当該指定された情報に対応するＤＢを参照して、投資家Ｕ２が表示を希望する情報を取得する。
【０１６７】
そして、投資家装置表示制御部５２３は、投資家装置５０のディスプレイに当該取得した情報を必要に応じて集計、編集し、一覧表示して処理を終了する。
【０１６８】
例えば、投資家装置表示制御部５２３は、表示を希望する情報として、投資家に発行されたトークンの量を示す情報が指定された場合には、トークンＤＢ１４１を参照して投資家Ｕ２に発行されたトークンの量を示す情報を取得して、図５に示すように投資家装置５０のディスプレイに一覧表示する。図５においては、投資家装置表示制御部５２３は、投資対象ＤＢ１３１から楽曲のタイトルを取得して楽曲タイトルＴｉｔを表示し、サーバ記録部にあらかじめ記録されている投資家Ｕ２の氏名を取得し、トークンＤＢ１４１から取得したトークンの量を示す情報に基づいて各投資家Ｕ２への配分率と投資家Ｕ２への投資量の小計を算出して投資家への配分内容を示す表ＩｎｖＬｉｓを表示し、持分ＤＢ１３７からアーティストＵ１の持分を取得して当該アーティストＵ１への配分額とともに表ＡｒｔＬｉｓとして表示し、投資家Ｕ２への投資量の小計を円換算した合計額Ｔｏｔを算出して表示し、投資家Ｕ２に自身を含む各投資家Ｕ２に対する配分率やトータルの配分量などを閲覧させている。
【０１６９】
これにより、投資家Ｕ２は、投資に見合った持分が各投資家Ｕ２に移転され、当該持分に応じた配分を各投資家Ｕ２が受けていることを随時に確認できるため安心して投資をすることができ、結果としてアーティストＵ１が多くの資金を集めることができる可能性が高まる。
【０１７０】
＜ブロックチェーン処理＞
ブロックチェーン処理は、サーバ記録部１３０に所定の情報が一定数記録されるごとに開始される。
【０１７１】
ブロックチェーン処理を開始すると、ブロックチェーン部１２５は、一定数記録された所定の情報と、直近に作成されたブロックデータのハッシュ値とを用いてブロックデータを生成して、該ブロックデータをブロックチェーンに追加して、該ブロックチェーンを他のサーバ１０と分散管理をするために、該ブロックデータを他のサーバ１０に送信して処理を終了する。
【０１７２】
これにより、投資家名簿情報、収益情報及び投資家ごとの利益の配分の量を示す情報などの重要な情報が改ざんされていないことの確実性が高まるので、投資家は、より安心して投資をすることができ、結果としてアーティストは多くの資金を集めることができる可能性がより高まる。
【０１７３】
以上説明してきたように、本発明の音楽投資システムによれば、投資した資金の流れの透明性が確保され、投資家Ｕ２が安心して投資を行うことができる音楽投資システムを提供することができる。
【０１７４】
以上、本発明の実施形態について説明したが、本発明はこれに限定されない。本発明の趣旨を逸脱しない範囲で、種々の変更が可能である。
【０１７５】
例えば、アーティスト装置３０は、アーティストＵ１の操作に応じて、サーバ記録部１３０に記録されている投資家名簿情報、持分移転情報、収益情報、投資家Ｕ２に発行されたトークンの量を示す情報及び資金使途情報のそれぞれを取得してアーティスト装置３０のディスプレイに表示するように構成されていてもよい。
【０１７６】
あるいは例えば、本実施形態においてはサーバ１０と、アーティスト装置３０と、投資家装置５０と、収益管理者装置とが別々に存在する場合について説明したが、これに限定されない。すなわち例えば、アーティスト装置３０とサーバ１０と、あるいは投資家装置５０とサーバ１０とが同一の装置であってもよい。この場合、当該同一の装置は、アーティスト装置３０及びサーバ１０として（あるいは投資家装置５０及びサーバ１０として）機能する。
【０１７７】
あるいは例えば、本実施形態においては収益管理者Ｕ３の操作に応じた収益情報がサーバ１０に受信され記録される場合について説明したが、これに限定されない。サーバ１０が、楽曲コンテンツ配信処理にて楽曲コンテンツ配信部１１７が楽曲コンテンツの配信を行ったタイミングで課金し、当該課金した金額に基づいて、収益情報を作成してサーバ記録部１３０の収益ＤＢ１３９に記録するように構成されていてもよい。
【符号の説明】
【０１７８】
１０…サーバ、３０…アーティスト装置、５０…投資家装置、７０…収益管理者装置、９０…通信ネットワーク、１１１…投資対象情報受信部、１１３…投資家名簿更新部、１１５…楽曲コンテンツ受信部、１１７…楽曲コンテンツ配信部、１１９…収益情報受信部、１２１…利益配分部、１２３…資金使途情報受信部、１２５…ブロックチェーン部、１３０…サーバ記録部、５２３…投資家装置表示制御部、５２９…再配信部。
【図１Ａ】
2020144558.tif 000003
【図１Ｂ】
2020144558.tif 000004
【図１Ｃ】
2020144558.tif 000005
【図１Ｄ】
2020144558.tif 000006
【図１Ｅ】
2020144558.tif 000007
【図１Ｆ】
2020144558.tif 000008
【図２】
2020144558.tif 000009
【図３Ａ】
2020144558.tif 000010
【図３Ｂ】
2020144558.tif 000011
【図４Ａ】
2020144558.tif 000012
【図４Ｂ】
2020144558.tif 000013
【図４Ｃ】
2020144558.tif 000014
【図５】
2020144558.tif 000015
【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
サーバと、アーティスト装置と、投資家装置とを備えるコンピュータネットワークシステムにおいて、
前記サーバは、
前記アーティスト装置から、投資家による投資対象となる楽曲に関する情報であって、該投資対象のアーティスト及び該投資家の持分を示す持分情報を含む情報である投資対象情報を受信して記録部に記録する投資対象情報受信部と、
前記投資家装置から、投資対象を特定する情報と前記投資家を特定する情報と投資の量を示す情報とを含む投資量情報を受信して、該受信した投資量情報に基づいて投資家名簿情報を作成して前記記録部に記録する投資家名簿更新部と、
前記アーティスト装置から、前記投資家による投資を資金として制作又は購入された楽曲の音声情報を含む情報である楽曲コンテンツを受信して前記記録部に記録するとともに、該楽曲コンテンツに対応する前記投資対象情報に含まれる前記持分情報と、該楽曲コンテンツが対応する前記投資家名簿情報に含まれる前記投資家それぞれの投資の量と、に基づいて該楽曲コンテンツの持分が該投資家それぞれに移転されたことを示す持分移転情報を作成して該記録部に記録する楽曲コンテンツ受信部と、
前記楽曲コンテンツ受信部が受信した前記楽曲コンテンツを前記投資家装置に配信する楽曲コンテンツ配信部と、
前記楽曲コンテンツ配信部が配信した前記楽曲コンテンツに関する収益の支払元を特定する情報と該収益の額を示す情報とを含む収益情報を受信して記録部に記録する収益情報受信部と、
前記持分移転情報と前記収益情報とに基づいて、前記投資対象ごとの利益の前記投資家ごとの配分の量を決定するとともに、該決定した利益の該投資家ごとの配分の量に応じたトークンを該投資家それぞれに発行し、該発行したトークンの量を示す情報を記録部に記録する利益配分部とを有し、
前記投資家装置は、
前記投資家の操作に応じて、前記記録部に記録されている前記投資家名簿情報、前記持分移転情報、前記収益情報及び前記投資家に発行された前記トークンの量を示す情報のそれぞれを取得して、該取得した情報に基づいて、該操作を行った投資家自身を含む各投資家に係る、前記投資家を特定する情報及び前記投資の量を示す情報、前記移転された持分の量を示す情報、又は前記発行されたトークンの量を示す情報を前記投資家装置に表示する表示制御部を有することを特徴とする音楽投資システム。
【請求項２】
請求項１に記載の音楽投資システムにおいて、
前記楽曲コンテンツ受信部は、前記アーティスト装置から前記楽曲コンテンツを受信する際に、該楽曲コンテンツの配信対象となる前記投資家を示す情報である配信対象情報を併せて受信するように構成され、
前記楽曲コンテンツ配信部は、前記楽曲コンテンツを前記投資家装置に配信する際に、該楽曲コンテンツごとの前記配信対象情報に基づいて、配信対象となる前記投資家が使用する投資家装置に該楽曲コンテンツを配信するように構成されていることを特徴とする音楽投資システム。
【請求項３】
請求項１又は２に記載の音楽投資システムにおいて、
前記楽曲コンテンツ受信部は、前記アーティスト装置から前記楽曲コンテンツを受信する際に、前記投資家が該楽曲コンテンツを他の装置に再配信してよいか否かを示す情報である再配信可否情報を併せて受信するように構成され、
前記投資家装置は、前記楽曲コンテンツごとの前記再配信可否情報の内容が、該楽曲コンテンツを他の装置に再配信してよいことを示す内容である場合には、前記投資家の操作に応じて、他の装置に該楽曲コンテンツを再配信する再配信部を有することを特徴とする音楽投資システム。
【請求項４】
請求項１〜３の何れかに記載の音楽投資システムにおいて、
前記音楽投資システムは、収益管理者装置を備え、
前記サーバは、前記投資家により投資された資金の使途に関する情報である資金使途情報を前記収益管理者装置から受信して前記記録部に記録する資金使途情報受信部を有し、
前記投資家装置の前記表示制御部は、前記記録部に記録されている前記資金使途情報を取得して前記投資家装置に表示するように構成されていることを特徴とする音楽投資システム。
【請求項５】
請求項１〜４の何れかに記載の音楽投資システムにおいて、
前記サーバは複数であり、
各サーバは、前記記録部に所定の情報が一定数記録されるごとに該情報に基づいてブロックデータを生成し、該ブロックデータをブロックチェーンに追加して該ブロックチェーンを他のサーバと分散管理するブロックチェーン部を有することを特徴とする音楽投資システム。
【手続補正２】
【補正対象書類名】明細書
【補正対象項目名】００１０
【補正方法】変更
【補正の内容】
【００１０】
本発明による音楽投資システムは、
サーバと、アーティスト装置と、投資家装置とを備えるコンピュータネットワークシステムにおいて、
前記サーバは、
前記アーティスト装置から、投資家による投資対象となる楽曲に関する情報であって、該投資対象のアーティスト及び該投資家の持分を示す持分情報を含む情報である投資対象情報を受信して記録部に記録する投資対象情報受信部と、
前記投資家装置から、投資対象を特定する情報と前記投資家を特定する情報と投資の量を示す情報とを含む投資量情報を受信して、該受信した投資量情報に基づいて投資家名簿情報を作成して前記記録部に記録する投資家名簿更新部と、
前記アーティスト装置から、前記投資家による投資を資金として制作又は購入された楽曲の音声情報を含む情報である楽曲コンテンツを受信して前記記録部に記録するとともに、該楽曲コンテンツに対応する前記投資対象情報に含まれる前記持分情報と、該楽曲コンテンツが対応する前記投資家名簿情報に含まれる前記投資家それぞれの投資の量と、に基づいて該楽曲コンテンツの持分が該投資家それぞれに移転されたことを示す持分移転情報を作成して該記録部に記録する楽曲コンテンツ受信部と、
前記楽曲コンテンツ受信部が受信した前記楽曲コンテンツを前記投資家装置に配信する楽曲コンテンツ配信部と、
前記楽曲コンテンツ配信部が配信した前記楽曲コンテンツに関する収益の支払元を特定する情報と該収益の額を示す情報とを含む収益情報を受信して記録部に記録する収益情報受信部と、
前記持分移転情報と前記収益情報とに基づいて、前記投資対象ごとの利益の前記投資家ごとの配分の量を決定するとともに、該決定した利益の該投資家ごとの配分の量に応じたトークンを該投資家それぞれに発行し、該発行したトークンの量を示す情報を記録部に記録する利益配分部とを有し、
前記投資家装置は、
前記投資家の操作に応じて、前記記録部に記録されている前記投資家名簿情報、前記持分移転情報、前記収益情報及び前記投資家に発行された前記トークンの量を示す情報のそれぞれを取得して、該取得した情報に基づいて、該操作を行った投資家自身を含む各投資家に係る、前記投資家を特定する情報及び前記投資の量を示す情報、前記移転された持分の量を示す情報、又は前記発行されたトークンの量を示す情報を前記投資家装置に表示する表示制御部を有することを特徴とする。
【手続補正３】
【補正対象書類名】明細書
【補正対象項目名】００１６
【補正方法】変更
【補正の内容】
【００１６】
そして、表示制御部により、投資家の操作に応じて、記録部に記録されている投資家名簿情報、持分移転情報、収益情報及び投資家に発行されたトークンの量を示す情報がそれぞれ取得されて、該取得された情報に基づいて、該操作を行った投資家自身を含む各投資家に係る、前記投資家を特定する情報及び前記投資の量を示す情報、前記移転された持分の量を示す情報、又は前記発行されたトークンの量を示す情報が投資家装置に表示される。